(57)【要約】  本発明は、工作機械用の鋸工具であって、それぞれ複数の鋸歯（３）を備えた少なくとも２つの鋸歯列（２０）が設けられていて、互いに連続する鋸歯列（２０）の間に歯のないチップ室（２１）が配置されており、１つの鋸歯列（２０）内において、１つのチップ室（２１）に直ぐ隣接する第１の鋸歯（３ａ）が、他の鋸歯（３ｂ，３ｃ，３ｄ）とは異なった歯の幾何学形状を有している。
2013511395.tif 000002
【特許請求の範囲】
【請求項１】
工作機械、特に手持ち式工作機械用の鋸工具であって、鋸工具（１）の加工側面（２）に鋸歯（３）の列（２０）を備えている形式のものにおいて、それぞれ複数の鋸歯（３）を備えた少なくとも２つの鋸歯列（２０）が、加工側面（２）に配置されており、互いに連続する鋸歯列（２０）の間に歯のないチップ室（２１）が配置されており、１つの鋸歯列（２０）内において、１つのチップ室（２１）に直ぐ隣接する第１の鋸歯（３ａ）が、他の鋸歯（３ｂ，３ｃ，３ｄ）とは異なった歯の幾何学形状を有していることを特徴とする、工作機械用の鋸工具。
【請求項２】
１つの鋸歯列（２０）内において第１の鋸歯（３ａ）は、歯形に関して他の鋸歯（３ｂ，３ｃ，３ｄ）とは異なっている、請求項１記載の鋸工具。
【請求項３】
第１の鋸歯（３ａ）のすくい面が少なくとも部分的に負のすくい角（γ２，γ３）を有している、請求項２記載の鋸工具。
【請求項４】
すくい面は歯底（２３）に隣接した領域に負のすくい角（γ２，γ３）を有している、請求項３記載の鋸工具。
【請求項５】
すくい面は歯底（２３）に隣接した領域に、異なった大きさの負のすくい角（γ２，γ３）を備えた２つの区分もしくは縁部（Ｂ，Ｃ）を有している、請求項４記載の鋸工具。
【請求項６】
すくい面は歯先端に隣接した領域に正のすくい角（γ１）を有している、請求項４又は５記載の鋸工具。
【請求項７】
１つの鋸歯列（２０）内において第１の鋸歯（３ａ）に続く他の鋸歯（３ｂ，３ｃ，３ｄ）はそれぞれ歯先端と歯底（２３）との間に、正のすくい角（γ４）を有している、請求項２から６までのいずれか１項記載の鋸工具。
【請求項８】
１つの鋸歯列（２０）内において第１の鋸歯（３ａ）は、鋸工具（１）の加工側面（２）に対して平行な平面に関して、他の鋸歯（３ｂ，３ｃ，３ｄ）とは異なったポジションを有している、請求項１から７までのいずれか１項記載の鋸工具。
【請求項９】
第１の鋸歯（３ａ）は他の鋸歯（３ｂ，３ｃ，３ｄ）に比べて低く設置されている、請求項８記載の鋸工具。
【請求項１０】
１つの鋸歯列（２０）内において第１の鋸歯（３ａ）はあさりに関して、他の鋸歯（３ｂ，３ｃ，３ｄ）とは異なっている、請求項１から９までのいずれか１項記載の鋸工具。
【請求項１１】
第１の鋸歯（３ａ）はあさり角なしに形成され、他の鋸歯（３ｂ，３ｃ，３ｄ）はあさり角をもって形成されている、請求項１０記載の鋸工具。
【請求項１２】
鋸工具がホールソーのための円筒形の穿孔体として形成されている、請求項１から１１までのいずれか１項記載の鋸工具。
【請求項１３】
円筒形の穿孔体（１）は端面に、コア（７）を鋸挽きによって除去するための複数の切断歯もしくは鋸歯（３）を有していて、該切断歯もしくは鋸歯（３）は鋸歯列にまとめられており、穿孔体（１）の内側面には、切刃（５）を備えた切断体（４）が配置されていて、該切刃（５）は穿孔体（１）の内側面（６）に対して半径方向内側に向かってずらされている、請求項１２記載の鋸工具。
【請求項１４】
鋸工具が鋸刃として形成されている、請求項１から１１までのいずれか１項記載の鋸工具。
【請求項１５】
請求項１から１４までのいずれか１項記載の鋸工具（１）を備えた工作機械、特に手持ち式工作機械。
【発明の詳細な説明】
【技術分野】
【０００１】
本発明は、請求項１の上位概念部に記載された形式の鋸工具、すなわち工作機械、特に手持ち式工作機械用の鋸工具であって、鋸工具の加工側面に鋸歯の列を備えている形式のものに関する。
【０００２】
従来の技術
ＥＰ１２２８８２９Ａ１には、円筒形の穿孔体とこの穿孔体において案内されるセンタリングドリルとを備えたホールソー（Lochsaege）が開示されており、このホールソーを用いて、加工すべきワークからコアを鋸挽きによって除去することができる。円筒形の穿孔体はその端面に切刃を有しており、これらの切刃は一部においてあさりを有し、かつ一部においてあさりを有していない。穿孔体の周方向において、あさりを有していない相前後して連続する各３つの切刃もしくは鋸歯と、これらの切刃もしくは鋸歯に続いて配置されていて互いに逆向きのあさり角を有する各２つの切刃とが、関連した１つの鋸歯列を形成している。端面の全周にわたって、それぞれ等しく形成されたこのような鋸歯列が複数配置されている。
【０００３】
あさりを付けられた鋸歯に基づいて、円筒形の穿孔体の内周面及び外周面と、鋸挽きによって除去されたコアもしくは穿孔の内周面との間には、それぞれ僅かな遊びが存在しており、この遊びによって、孔からの穿孔体の除去及び穿孔体内部からのコアの除去が容易になる。
【０００４】
発明の開示
本発明の課題は、一方では、加工されるワークにおける綺麗な鋸断縁を得ることができ、かつ他方では加工時にワーク内への鋸工具の引っ掛かりを回避することができる、工作機械用の鋸工具を簡単な手段で提供することである。
【０００５】
この課題は、本発明によれば請求項１の特徴部に記載の構成によって解決される。本発明の有利な態様は従属請求項に記載されている。
【０００６】
すなわち前記課題を解決するために本発明の構成では、冒頭に述べた形式の鋸工具において、それぞれ複数の鋸歯を備えた少なくとも２つの鋸歯列が、加工側面に配置されており、互いに連続する鋸歯列の間に歯のないチップ室が配置されており、１つの鋸歯列内において、１つのチップ室に直ぐ隣接する第１の鋸歯が、他の鋸歯とは異なった歯の幾何学形状を有しているようにした。
【０００７】
本発明による鋸工具は、工作機械、特に手持ち式の工作機械において使用され、有利には、駆動モータとして例えば電動機を有するモータ駆動式の工作機械において使用される。鋸工具は加工側面に切刃もしくは鋸歯を有しており、使用目的に応じて種々異なった形式の鋸工具が可能である。鋸工具は例えば、ホールソーにおいて使用される円筒形の穿孔体である。しかしながらまた基本的には、例えば往復動する切断機械もしくは動力鋸において使用される鋸身もしくは鋸刃としての態様も可能であり、例えば挽回し鋸刃（Stichsaegeblatt）又はサーベル鋸刃（Saebelsaegeblatt）であってもよい。
【０００８】
本発明による鋸工具は、少なくとも２つの鋸歯列を有しており、これらの鋸歯列はそれぞれ複数の鋸歯を加工側面に有しており、鋸歯列は相互に同一に構成されている。相前後して続く２つの鋸歯列の間には、歯のないチップ室が配置されており、このチップ室は、ワーク加工時に発生する鋸屑もしくはチップを収容するためもしくは排出するために働く。チップ室は、切断領域からのチップの直接的な排出を促進し、これによって歯列が閉塞することを抑制する。
【０００９】
チップの排出をさらに改善するために、１つの鋸歯列の、１つのチップ室に直ぐ隣接する第１の鋸歯（これは鋸歯列内において加工方向で見て前に位置している）は、同じ鋸歯列の他の鋸歯とは異なった歯の幾何学形状を有している。鋸歯列毎に第１の鋸歯が他の鋸歯とは異なった歯の幾何学形状を有しているということは、一方では、あさりに関することを意味し、かつ他方ではしかしながらまた鋸歯の歯形及び鋸歯相互のポジションもしくは加工側面に対する鋸歯のポジションを意味する。この場合特に、第１の鋸歯はあさりを有しておらず、これに対して後続の鋸歯はあさりを有している。あさりを有していない第１の鋸歯は、同様に切断領域からのチップの排出を改善し、その結果、歯列が閉塞するおそれは減じられている。通常金属から成るワークに鋸工具が引っ掛かることは、この処置によって回避される。
【００１０】
間に位置するチップ室を有している複数の歯サイクルもしくは歯列の構成は、あさりのない第１の鋸歯及び後続のあさりのある鋸歯の構成と相俟って、さらに、例えば乾燥建築材（Trockenbau）における木、金属又は石膏のような種々異なったワーク材料の加工を含む、組み合わせられた使用時においても切断能力を改善する。
【００１１】
有利な態様によれば、第１の鋸歯のすくい面が少なくとも部分的に、特に歯底に隣接した領域に、負のすくい角を有しており、これに対して第１の鋸歯のすくい面は、歯先端にまで延びる区分に正のすくい角を有することができる。鋸歯列毎の第１の鋸歯のこのような構成は、金属薄板加工時に金属薄板縁部がチップ室によって導出され、ひいてはチップ室内に侵入することやチップ室内において引っ掛かることがない、という利点を有している。これによってチップ室における金属薄板縁部の引っ掛かりやこれに起因する工作機械の不作動といった不都合な現象の発生が減じられる。このような効果はさらに、第１の鋸歯とは異なり後続の他の鋸歯がそれぞれ、負のすくい角なしに構成されていて、歯先端と歯底との間に、正のすくい角を有していることによって、助成される。
【００１２】
また、第１の鋸歯のすくい面が歯底の領域に、互いに対して角度を成して方向付けられた２つの異なった区分を有していて、両方の区分がそれぞれ、互いに値の異なった負のすくい角を有していると、有利である。
【００１３】
さらに有利な態様によれば、１つの鋸歯列内において第１の鋸歯は、鋸工具の加工側面に関してもしくは加工側面に対して平行な平面に関して、他の鋸歯とは異なったポジションを有している。第１の鋸歯は特にその鋸歯列の後続の他の鋸歯に比べて低く設置されており、このような構成によっても、引っ掛かりのおそれは減じられる。
【００１４】
有利な態様によれば、１つの鋸歯列内における鋸歯のあさりに関して、第１の鋸歯に続く鋸歯はそれぞれ交互に逆向きのあさりを有している。
【００１５】
ホールソー用の円筒形の穿孔体として鋸工具が形成されている場合には、穿孔体の内側面に、切刃を備えた付加的な切断端が設けられていて、切刃が、穿孔体の内側面もしくは内壁に対して半径方向内側に向かってずらされていると、有利である。この構成の利点としては次のことが挙げられる。すなわちこのように構成されていると、鋸挽きによって除去されるコアの外径が円筒形の穿孔体の内径よりも小さくなり、これによってワーク加工後にコアの周面と穿孔体の内側面との間に空隙が発生し、鋸挽きされたコアを問題なく穿孔体の内室から除去することができる。
【００１６】
次に図面を参照しながら本発明の実施の形態を説明する。
【図面の簡単な説明】
【００１７】
【図１】加工側面に多数の鋸歯を有していて、これらの鋸歯が鋸歯列にまとめられていて、互いに隣接する鋸歯列の間にチップ室が配置されている、工作機械用の鋸工具を示す図である。
【図２】加工方向で見て前に位置していてチップ室に隣接している鋸歯を拡大して示す図である。
【図３】１つの鋸歯列を上から見た図である。
【図４】チップ室を拡大して示す図である。
【図５】自由な端面にコアを鋸挽きして除去するための鋸歯を備えていて、内側面に、半径方向内側に向かってずらされた切刃を備えかつ軸方向に延在する切断体を有している、ホールソーにおける円筒形の穿孔体を示す斜視図である。
【００１８】
図面において、同一部材には同一符号が使用されている。
【００１９】
図１に示された鋸工具１は例えば、ホールソー用の円筒形の穿孔体として、又は鋸刃として形成されている。鋸工具１は加工側面２を有していて、この加工側面２には切断歯もしくは鋸歯３が配置されている。これらの鋸歯３は鋸歯列２０にまとめられており、これらの鋸歯列２０は互いに相前後して位置するように配置されていて、それぞれ複数の個々の鋸歯３を有しており、図示の実施形態では鋸歯列２０毎に４つの鋸歯３ａ〜３ｄが設けられている。連続する各２つの鋸歯列２０の間には、ワーク加工中に生じる鋸屑もしくはチップを受容もしくは導出するためのチップ室２１が位置している。各鋸歯列２０内における鋸歯３ａ〜３ｄは、屑の導出及び切断面を改善する規定された歯の幾何学形状を有している。先行するチップ室２１に直ぐに隣接して配置されていて加工方向において前に位置する第１の鋸歯３ａは、その歯の幾何学形状に関して後続の鋸歯３ｂ〜３ｄとは異なっている。
【００２０】
図２には、１つの共通の鋸歯列の、チップ室２１の直ぐ後ろに続く第１の鋸歯３ａと、後続の第２の鋸歯３ｂとが拡大して示されている。第１の鋸歯３ａは、加工側面もしくは加工側面に対して平行な平面に関して、後続の鋸歯３ｂに対して値ａだけ低く設置されているので、第１の鋸歯３ａの鋸歯先端は後続の鋸歯３ｂの鋸歯先端に比べて僅かしか外方に向かって突出していない。第１の鋸歯に後続のすべての鋸歯はその先端が有利には同じ高さに位置しており、その結果単に第１の鋸歯だけが低く設置されている。
【００２１】
さらに第１の鋸歯３ａのすくい面（Zahnbrust）は、他の鋸歯とは異なった構成を有している。第１の鋸歯３ａのすくい面は、歯先端とチップ室２１への移行部との間に、少なくともほぼ直線的な３つの区分もしくは縁部Ａ，Ｂ，Ｃを有しており、これらの区分もしくは縁部Ａ，Ｂ，Ｃはそれぞれ加工側面もしくは加工方向に対する垂線２２に対して異なったすくい角γ１，γ２，γ３を有している。歯先端を起点として歯底もしくはチップ室２１に向かって延びている最上位の縁部Ａは、正のすくい角γ１を有しており、このすくい角γ１は有利には２０°までの値範囲にあり、例えば１０°である。縁部Ａに続く縁部Ｂ，Ｃはそれに対して負のすくい角γ２；γ３を有しており、真ん中の縁部Ｂのすくい角γ２は有利には同様に２０°までの値範囲にあり、有利には５°であり、それに対して最深部に位置する縁部Ｃのすくい角γ３はγ２よりも大きく、例えば４５°である。
【００２２】
第１の鋸歯３ａの先端は、後続の鋸歯３ｂの先端及びこの歯列の他のすべての鋸歯の先端に対して、値ａだけ低く設置されている。縁部Ａ，Ｂ，Ｃの鉛直方向の長さはｂ，ｃ，ｄで示されており、垂線２２への投影図で見て長さｂ，ｃ，ｄは少なくともほぼ同じ値である。値ａだけ低い第１の鋸歯３ａの位置は、０.５ｍｍまでの値範囲にあり、例えば０.３ｍｍである。第１の縁部Ａ及び真ん中の第２の縁部Ｂの、垂線に投影された長さは、それぞれ０.５ｍｍまでの値範囲にあり、例えば０.３ｍｍである。最も低い位置にある縁部Ｃの、垂線に投影された長さｄは、０.８ｍｍまでの値範囲にあり、例えば０.４ｍｍである。
【００２３】
図３には、４つの鋸歯３ａ〜３ｄから成る鋸歯列２０を備えた鋸工具１の加工側面が平面図で示されている。第１の鋸歯３ａは直線的に、つまりあさり（Schraenkung）なしに形成され、これに対して他の鋸歯３ｂ，３ｃ，３ｄはそれぞれあさりを交互に逆向きに有している。
【００２４】
第１の鋸歯３ａとは異なり、後続の鋸歯はもっぱら正のすくい角を有しており、負のすくい角を有していない。このことは例えば図２において第２の鋸歯３ｂにおいて示されており、この第２の鋸歯３ｂは正のすくい角γ４を備えており、このすくい角γ４は、歯先端を起点として歯底２３への移行部にまで、すくい面における直線的な縁部において延びている。鋸歯列の、第１の鋸歯３ａに後続するすべての鋸歯は、同じ正のすくい角を有することができ、しかしながらこの場合基本的には、互いに異なった正のすくい角を有することも可能である。後続の鋸歯のすくい角γ４は、第１の鋸歯３ａの正のすくい角γ１と同じであっても、又はそれとは異なっていても、つまり第１の鋸歯３ａの正のすくい角γ１よりも小さくても又は大きくてもよい。
【００２５】
図４には、チップ室２１が後続の鋸歯列の隣接した鋸歯３ａ及び先行する鋸歯列の隣接した鋸歯３ｄと共に示されている。破線で示されているように、後続の鋸歯列の第１の鋸歯３ａは、先行する鋸歯列の最後の鋸歯３ｄよりもわずかに低く設置されている。
【００２６】
図５には鋸工具として、円筒形もしくはポット形の穿孔体１が示されており、この穿孔体１は、コアを鋸挽きによって除去するためのホールソーにおいて使用される。穿孔体１はその自由端面２に、部分的にしか示されていない一列の切断歯もしくは鋸歯３を有しており、これらの鋸歯３は既に述べたように、間に位置するチップ室を備えた鋸歯列を備えて構成されている。円筒形の穿孔体１の内側面６には、穿孔体１の軸方向長さにわたって延在する切断体４が設けられており、この切断体４は、半径方向内側に向いた切刃５を備えている。切断体４は三角形の横断面を有していて、半径方向内側に向いた三角形先端は切刃５を形成している。この切刃５は軸方向において穿孔体１の自由端面２にまで延びているが、切断体４は軸方向において鋸歯３にまで達していないと有利である。周方向において切断体４は、例えば最大５°である狭い角度範囲にわたってしか延在していない。
【図１】
2013511395.tif 000003
【図２】
2013511395.tif 000004
【図３】
2013511395.tif 000005
【図４】
2013511395.tif 000006
【図５】
2013511395.tif 000007
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
工作機械用の鋸工具であって、鋸工具（１）の加工側面（２）に鋸歯（３）の列（２０）を備えている形式のものにおいて、それぞれ複数の鋸歯（３）を備えた少なくとも２つの鋸歯列（２０）が、加工側面（２）に配置されており、互いに連続する鋸歯列（２０）の間に歯のないチップ室（２１）が配置されており、１つの鋸歯列（２０）内において、１つのチップ室（２１）に直ぐ隣接する第１の鋸歯（３ａ）が、他の鋸歯（３ｂ，３ｃ，３ｄ）とは異なった歯の幾何学形状を有しており、第１の鋸歯（３ａ）のすくい面は歯底（２３）に隣接した領域に負のすくい角（γ２，γ３）を有していることを特徴とする、工作機械用の鋸工具。
【請求項２】
すくい面は歯底（２３）に隣接した領域に、異なった大きさの負のすくい角（γ２，γ３）を備えた２つの区分もしくは縁部（Ｂ，Ｃ）を有している、請求項１記載の鋸工具。
【請求項３】
すくい面は歯先端に隣接した領域に正のすくい角（γ１）を有している、請求項１又は２記載の鋸工具。
【請求項４】
１つの鋸歯列（２０）内において第１の鋸歯（３ａ）に続く他の鋸歯（３ｂ，３ｃ，３ｄ）はそれぞれ歯先端と歯底（２３）との間に、正のすくい角（γ４）を有している、請求項１から３までのいずれか１項記載の鋸工具。
【請求項５】
１つの鋸歯列（２０）内において第１の鋸歯（３ａ）は、鋸工具（１）の加工側面（２）に対して平行な平面に関して、他の鋸歯（３ｂ，３ｃ，３ｄ）とは異なったポジションを有している、請求項１から４までのいずれか１項記載の鋸工具。
【請求項６】
第１の鋸歯（３ａ）は他の鋸歯（３ｂ，３ｃ，３ｄ）に比べて低く設置されている、請求項５記載の鋸工具。
【請求項７】
１つの鋸歯列（２０）内において第１の鋸歯（３ａ）はあさりに関して、他の鋸歯（３ｂ，３ｃ，３ｄ）とは異なっている、請求項１から６までのいずれか１項記載の鋸工具。
【請求項８】
第１の鋸歯（３ａ）はあさりなしに形成され、他の鋸歯（３ｂ，３ｃ，３ｄ）はあさりをもって形成されている、請求項７記載の鋸工具。
【請求項９】
鋸工具がホールソーのための円筒形の穿孔体として形成されている、請求項１から８までのいずれか１項記載の鋸工具。
【請求項１０】
円筒形の穿孔体（１）は端面に、コア（７）を鋸挽きによって除去するための複数の切断歯もしくは鋸歯（３）を有していて、該切断歯もしくは鋸歯（３）は鋸歯列にまとめられており、穿孔体（１）の内側面には、切刃（５）を備えた切断体（４）が配置されていて、該切刃（５）は穿孔体（１）の内側面（６）に対して半径方向内側に向かってずらされている、請求項９記載の鋸工具。
【請求項１１】
鋸工具が鋸刃として形成されている、請求項１から８までのいずれか１項記載の鋸工具。
【請求項１２】
鋸工具が手持ち式工作機械用の鋸工具である、請求項１から１１までのいずれか１項記載の鋸工具。
【請求項１３】
請求項１から１２までのいずれか１項記載の鋸工具（１）を備えた工作機械。
【国際調査報告】
2013511395.tif 000008
2013511395.tif 000009
2013511395.tif 000010
2013511395.tif 000011
2013511395.tif 000012
2013511395.tif 000013